(57)【要約】【課題】簡便な構成により、粉塵回収箱を取外す際の粉塵の飛散を防止し、かつ、飛散した粉塵の回収を容易とした集塵設備、または、集塵設備内での結露を防止することのできる集塵設備を提供する。【解決手段】下方に取外し可能に接続される粉塵回収箱を備える集塵機と、吸気ダクトと、排気ダクトを有する集塵設備であって、  前記吸気ダクトから分岐する第二吸気ダクトを有し、前記第二吸気ダクトの先端がフレキシブルホースであり、かつ、前記先端が前記粉塵回収箱が設置される床面に到達可能である集塵設備、または、  前記排気ダクトから分岐する第二排気ダクトを有し、前記第二排気ダクトの先端が、前記粉塵回収箱が接続される箇所近傍に向けて設けられている集塵設備。【選択図】図１
2018089575.tif 000002
【特許請求の範囲】
【請求項１】
下方に取外し可能に接続される粉塵回収箱を備える集塵機と、吸気ダクトと、排気ダクトを有する集塵設備であって、
前記吸気ダクトから分岐する第二吸気ダクトを有し、
前記第二吸気ダクトの先端がフレキシブルホースであり、かつ、前記先端が前記粉塵回収箱が設置される床面に到達可能であることを特徴とする集塵設備。
【請求項２】
下方に取外し可能に接続される粉塵回収箱を備える集塵機と、吸気ダクトと、排気ダクトを有する集塵設備であって、
前記排気ダクトから分岐する第二排気ダクトを有し、
前記第二排気ダクトの先端が、前記粉塵回収箱が接続される箇所近傍に向けて設けられていることを特徴とする集塵設備。
【発明の詳細な説明】
【技術分野】
【０００１】
本発明は、粉塵を含むガスから粉塵を回収する集塵設備に関する。
【背景技術】
【０００２】
従来より、工場、発電所等において、粉塵を含むガスから粉塵を回収するために、布製、または不織布製の袋状のフィルタ（バグフィルタ）にガスを通して粉塵をろ過する大型の集塵設備が用いられている（特許文献１）。この集塵設備は、フィルタに粉塵が付着すると圧力損失が大きくなるため、所定の期間、または、圧力損失が所定値に達したら、フィルタから粉塵を払い落とす必要がある。集塵機の下方には、取外し可能に粉塵回収箱が設けられており、フィルタから払い落とされた粉塵は、粉塵回収箱の内部に回収され、焼却、埋立、再利用等により適切に処理される。
【０００３】
従来の集塵設備は、集塵を回収した粉塵回収箱を取外す際に、粉塵が飛散するという問題がある。飛散した粉塵は、ホウキや電気掃除機等を用いて清掃する必要があり、大変手間である。また、粉塵は、産業廃棄物としての処理が求められる場合があり、ホウキや電気掃除機等で回収した粉塵も適切に処理する必要がある。
【０００４】
また、粉塵回収箱を取外すと、集塵設備の内部に、室内の空気が侵入するが、集塵設備内のガスと室内の空気とに温湿度差が存在すると、集塵設備内に結露が生じる場合がある。集塵設備内で結露が生じると、結露に粉塵が付着・堆積してしまい、内部の清掃に手間がかかる。
【先行技術文献】
【特許文献】
【０００５】
【特許文献１】特開２００３−１１７６５１号公報
【発明の概要】
【発明が解決しようとする課題】
【０００６】
本発明は、簡便な構成により、粉塵回収箱を取外す際の粉塵の飛散を防止し、かつ、飛散した粉塵の回収を容易とした集塵設備、または、集塵設備内での結露を防止することのできる集塵設備を提供することを課題とする。
【課題を解決するための手段】
【０００７】
１．下方に取外し可能に接続される粉塵回収箱を備える集塵機と、吸気ダクトと、排気ダクトを有する集塵設備であって、
前記吸気ダクトから分岐する第二吸気ダクトを有し、
前記第二吸気ダクトの先端がフレキシブルホースであり、かつ、前記先端が前記粉塵回収箱が設置される床面に到達可能であることを特徴とする集塵設備。
２．下方に取外し可能に接続される粉塵回収箱を備える集塵機と、吸気ダクトと、排気ダクトを有する集塵設備であって、
前記排気ダクトから分岐する第二排気ダクトを有し、
前記第二排気ダクトの先端が、前記粉塵回収箱が接続される箇所近傍に向けて設けられていることを特徴とする集塵設備。
【発明の効果】
【０００８】
本発明の集塵設備は、既存の集塵設備の配管を分岐することにより設置することができるため、設備投資に必要な費用が少ない。吸気ダクトから分岐した第二吸気ダクトを掃除機として用いることにより、飛散した粉塵を集塵設備に回収することができるため、粉塵の回収率を高くすることができ、また、適切に処理することができる。排気ダクトから分岐した第二排気ダクトにより、粉塵回収箱を取外した際に、集塵設備内外の温湿度を同等に保つことができ、集塵設備内での結露を防止することができる。
【図面の簡単な説明】
【０００９】
【図１】本発明の集塵設備の一実施態様の模式図。
【発明を実施するための形態】
【００１０】
本発明の集塵設備の一実施態様の模式図を図１に示す。図１において、矢印はガスの流れを示す。
一実施態様である集塵設備１００は、下方に取外し可能に接続される粉塵回収箱１１を備える集塵機１０と、吸気ダクト２０と、吸気ダクト２０から分岐する第二吸気ダクト２１と、排気ダクト３０と、排気ダクト３０から分岐する第二排気ダクト３１を有する。
集塵機１０は、内部にフィルター（図示せず）を備え、吸気ダクト２０から供給される粉塵を含むガスから粉塵を取り除き、粉塵が取り除かれたガスを排気ダクト３０から排出する。集塵機１０は、粉塵回収箱１１と接続するフランジ部１２と、フランジ部１２の上方に粉塵回収箱１１を取外す際に閉じられるバタフライバルブ１３を備える。
【００１１】
第二吸気ダクト２１は、その先端がフレキシブルホース２３となっており、また、先端が粉塵回収箱が設置される床面に到達可能である。第二排気ダクト３１は、その先端が、粉塵回収箱が接続されるフランジ部１２とバタフライバルブ１３との間に向けて設けられている。第二吸気ダクト２１、第二排気ダクト３１は、ともに風量調整ダンパー２２、３２を備えており、吸気量、排気量を調整することができる。
【００１２】
集塵機１０内部のフィルタは粉塵が付着するが、一定時間毎に、フィルタに圧縮空気を吹き付けることにより、フィルタに付着した粉塵が払い落とされる。フィルタから払い落とされた粉塵は、粉塵回収箱１１の内部に落下して回収される。粉塵回収箱１１は、まずバタフライバルブ１３を閉じて下方に粉塵が落下するのを防いだ後に、フランジ部１２での接続が解除され、取外され、新たに空の粉塵回収箱が設置される。この際、バタフライバルブ１３からフランジ部１２までの間に存在する粉塵や、粉塵回収箱１１内の粉塵が周囲に飛散する。
【００１３】
本発明の集塵設備１００は、第二吸気ダクト２１を有し、第二吸気ダクト２１の先端からガスを吸引することができる。また、第二吸気ダクト２１は、風量調整ダンパー２２により、吸気のオン／オフの切り替え、及び吸気量を調整することができる。そのため、第二吸気ダクト２１は、掃除機として使用することができる。第二吸気ダクト２１を掃除機として用いることにより、粉塵回収箱１１を取外した際に飛散した粉塵を、再び集塵機１０の内部に回収することができる。また、本発明において、第二吸気ダクト２１は、先端がフレキシブルホース２３となっているため、床面の広い範囲に粉塵が飛散しても、容易に清掃することができる。
【００１４】
集塵機１０は、機械室に設置されることが多く、高温多湿の環境となる時期が存在する。一方、集塵機１００の内部は、生産現場等から吸気されたガスが通るため、年間を通じてほぼ一定の温湿度を保っている。粉塵回収箱１１を取外すと、バタフライバルブ１３より下方には、機械室内の空気が侵入するため、時期によっては内部に結露が発生することがある。
【００１５】
本発明の集塵設備１００は、第二排気ダクト３１を有し、第二排気ダクト３１の先端からガスを排出することができる。第二排気ダクト３１から排出されるガスは、集塵機１０内のガスと同等の温湿度を有するため、第二排気ダクト３１から排出されるガスがフランジ部１２近傍に流れるようにすることにより、粉塵回収箱１１を取外した際に、バタフライバルブ１３下方の集塵設備内部での温湿度がほとんど変化せず、内部での結露発生を防ぐことができる。第二排気ダクト３１は、風量調整ダンパー３２により、排気のオン／オフの切り替え、及び排気量を調整することができる。そのため、結露が生じやすい時期には、第二排気ダクトからの排気を常に行い、機械室内の温湿度を、集塵設備１００内を流れるガスの温湿度に近づけることができる。また、実際に粉塵回収箱１１を取外す際に、排気が強すぎて、粉塵回収箱１１の内部から粉塵が飛散することを防止することができる。
【００１６】
本発明の集塵設備は、図１に示す一実施態様に限定されない。本発明の集塵設備は、下方に置かれた粉塵回収箱により粉塵を回収するものであれば特に制限されず、重力式、遠心力式、障害物式等の集塵設備に用いることができる。また、第二吸気ダクト、第二排気ダクトは、いずれか一方のみを設けることもできる。
【符号の説明】
【００１７】
１００  集塵設備
１０    集塵機
１１    粉塵回収箱
１２    フランジ部
１３    バタフライバルブ
２０    吸気ダクト
２１    第二吸気ダクト
２２    風量調整ダンパー
２３    フレキシブルホース
３０    排気ダクト
３１    第二排気ダクト
３２    風量調整ダンパー
【図１】
2018089575.tif 000003